(57)【要約】【課題】報知対象情報を入力キーによりユーザが容易に確認できる携帯端末装置１を提供する。【解決手段】携帯端末装置１は、情報を受信する受信部１０２と、前記受信部１０２によって受信された情報の受信履歴を当該情報の種別に対応付けて記憶する記憶部１０１と、複数の入力キーと、前記入力キーをそれぞれ照明する照明部１３と、前記照明部を制御する照明制御部１００と、を備える。ここで、前記複数の入力キーは、前記情報の種別に応じて割り当てられた種別キー１１ｃ、１１ｅと、複数の数字キー１１ｇとを含み、前記照明制御部１００は、前記種別キー１１ｃ、１１ｅと、当該種別キー１１ｃ、１１ｅに対応する前記種別の情報の、前記受信履歴に基づく報知対象件数に対応する前記数字キー１１ｇとが互いに関連して点灯するように前記照明部１３を制御する。【選択図】図２
2012138683.tif 000002
【特許請求の範囲】
【請求項１】
情報を受信する受信部と、
前記受信部によって受信された情報の受信履歴を当該情報の種別に対応付けて記憶する記憶部と、
複数の入力キーと、
前記入力キーをそれぞれ照明する照明部と、
前記照明部を制御する照明制御部と、を備え、
前記複数の入力キーは、前記情報の種別に応じて割り当てられた種別キーと、複数の数字キーとを含み、
前記照明制御部は、前記種別キーと、当該種別キーに対応する前記種別の情報の、前記受信履歴に基づく報知対象件数に対応する前記数字キーとが互いに関連して点灯するように前記照明部を制御する、
ことを特徴とする携帯端末装置。
【請求項２】
請求項１に記載の携帯端末装置において、
前記情報の種別は、電話およびメールを含み、
前記電話に対して、前記電話の機能に係る電話キーが前記種別キーとして割り当てられるとともに、前記メールに対して、前記メールの機能に係るメールキーが前記種別キーとして割り当てられ、
前記照明制御部は、
電話の着信があったことの報知を行う際、前記電話キーと、前記電話の前記報知対象件数に対応する前記数字キーとが関連して点灯するように前記照明部を制御し、
メールの着信があったことの報知を行う際、前記メールキーと、前記メールの前記報知対象件数に対応する前記数字キーとが関連して点灯するように前記照明部を制御する、
ことを特徴とする携帯端末装置。
【請求項３】
請求項２に記載の携帯端末装置において、
前記照明制御部は、前記電話キーおよび前記電話の前記報知対象件数に対応する前記数字キーと、前記メールキーおよび前記メールの前記報知対象件数に対応する前記数字キーとを、交互に点灯させる、
ことを特徴とする携帯端末装置。
【請求項４】
請求項２に記載の携帯端末装置において、
前記照明制御部は、操作された前記入力キーに応じて、前記電話キーおよび前記電話の前記報知対象件数に対応する前記数字キーと、前記メールキーおよび前記メールの前記報知対象件数に対応する前記数字キーとの何れか一方を点灯させる、
ことを特徴とする携帯端末装置。
【請求項５】
請求項２に記載の携帯端末装置において、
前記照明制御部は、前記電話キーおよび前記電話の前記報知対象件数に対応する前記数字キーと、前記メールキーおよび前記メールの前記報知対象件数に対応する前記数字キーとを、異なる色で点灯させる、
ことを特徴とする携帯端末装置。
【請求項６】
請求項１ないし５の何れか一項に記載の携帯端末装置において、
表示部と、
前記表示部を制御する表示制御部と、をさらに備え、
前記表示制御部は、前記種別キーと前記数字キーとが点灯している状態において前記種別キーまたは前記数字キーの何れかが操作されると、当該種別キーに対応する報知対象の
情報を前記受信履歴に基づいて前記表示部に表示させる、
ことを特徴とする携帯端末装置。
【請求項７】
請求項６に記載の携帯端末装置において、
前記表示制御部は、点灯している前記数字キーが操作されると、操作された前記数字キーに対応する前記報知対象の情報を前記表示部に表示させる、
ことを特徴とする携帯端末装置。
【請求項８】
受信された情報の受信履歴を当該情報の種別に対応付けて記憶する記憶部と、複数の数字キーと前記情報の種別に応じて割り当てられた種別キーとを含む入力キーと、前記入力キーをそれぞれ照明する照明部と、を備える携帯端末装置のコンピュータに、
前記種別キーと、当該種別キーに対応する前記種別の情報の、前記受信履歴に基づく報知対象件数に対応する前記数字キーとを互いに関連して点灯させるように前記照明部を制御する機能を付与するためのプログラム。
【請求項９】
情報が該情報の種別に対応づけて順次記憶される記憶部と、
複数の入力キーと、
前記入力キーをそれぞれ照明する照明部と、
前記照明部を制御する照明制御部と、を備え、
前記複数の入力キーは、前記情報の種別に応じて割り当てられた種別キーと、複数の数字キーとを含み、
前記照明制御部は、前記種別に対応づけて前記記憶部に記憶された情報のうち報知対象の情報の件数に対応する前記数字キーと、当該種別に割り当てられた前記種別キーとが互いに関連して点灯するように前記照明部を制御する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯端末装置は、電話の呼出信号やメールの情報を受信すると、音、光および振動などにより受信を報知する機能を有する。ユーザは、報知により情報の受信を知り、受信した情報を処理することができる。たとえば、ユーザは、電話キーを操作して、電話の呼出信号に応答したり、メールキーなどを操作して、メールの情報を表示したりする。
【０００３】
しかし、ユーザが報知に気付かなかったり、ユーザが報知に気付いたとしても、受信した情報に対してすぐに処理できなかったりすることもある。
【０００４】
このように、ユーザが電話の呼出信号に応答しない場合に、卓上型電話機では、留守番電話機能により録音されたメッセージの件数が記憶され、メッセージの件数に対応する番号のテンキーが点灯されるような構成が採られ得る。（たとえば、特許文献１）。このような構成を、携帯端末装置に応用することも考えられ得る。
【先行技術文献】
【特許文献】
【０００５】
【特許文献１】特開平１−２３６８４９号公報
【発明の概要】
【発明が解決しようとする課題】
【０００６】
しかしながら、上記構成では、ユーザは、録音されたメッセージの件数により、電話に関して着信があった件数を知ることはできる。しかしながら、ユーザは、メールの未読件数など他の通信により受信した情報に対する件数を知ることができない。
【０００７】
本発明は、かかる課題に鑑みてなされたものであり、報知対象情報を入力キーによりユーザが容易に確認できる携帯端末装置を提供することを目的とする。
【課題を解決するための手段】
【０００８】
本発明の携帯端末装置は、情報を受信する受信部と、前記受信部によって受信された情報の受信履歴を当該情報の種別に対応付けて記憶する記憶部と、複数の入力キーと、前記入力キーをそれぞれ照明する照明部と、前記照明部を制御する照明制御部と、を備える。ここで、前記複数の入力キーは、前記情報の種別に応じて割り当てられた種別キーと、複数の数字キーとを含み、前記照明制御部は、前記種別キーと、当該種別キーに対応する前記種別の情報の、前記受信履歴に基づく報知対象件数に対応する前記数字キーとが互いに関連して点灯するように前記照明部を制御する。
【０００９】
本態様に係る携帯端末装置において、前記情報の種別は、電話およびメールを含み、前記電話に対して、前記電話の機能に係る電話キーが前記種別キーとして割り当てられるとともに、前記メールに対して、前記メールの機能に係るメールキーが前記種別キーとして割り当てられ得る。ここで、前記照明制御部は、電話の着信があったことの報知を行う際、前記電話キーと、前記電話の前記報知対象件数に対応する前記数字キーとが関連して点灯するように前記照明部を制御する。また、メールの着信があったことの報知を行う際、前記メールキーと、前記メールの前記報知対象件数に対応する前記数字キーとが関連して
点灯するように前記照明部を制御する。
【００１０】
本態様に係る携帯端末装置において、前記照明制御部は、前記電話キーおよび前記電話の前記報知対象件数に対応する前記数字キーと、前記メールキーおよび前記メールの前記報知対象件数に対応する前記数字キーとを、交互に点灯させるように構成し得る。
【００１１】
本態様に係る携帯端末装置において、前記照明制御部は、操作された前記入力キーに応じて、前記電話キーおよび前記電話の前記報知対象件数に対応する前記数字キーと、前記メールキーおよび前記メールの前記報知対象件数に対応する前記数字キーとの何れか一方を点灯させるように構成し得る。
【００１２】
本態様に係る携帯端末装置において、前記照明制御部は、前記電話キーおよび前記電話の前記報知対象件数に対応する前記数字キーと、前記メールキーおよび前記メールの前記報知対象件数に対応する前記数字キーとを、異なる色で点灯させるように構成し得る。
【００１３】
本態様に係る携帯端末装置において、表示部と、前記表示部を制御する表示制御部と、をさらに備え得る。ここで、前記表示制御部は、前記種別キーと前記数字キーとが点灯している状態において前記種別キーまたは前記数字キーの何れかが操作されると、当該種別キーに対応する報知対象の情報を前記受信履歴に基づいて前記表示部に表示させる。
【００１４】
本態様に係る携帯端末装置において、前記表示制御部は、点灯している前記数字キーが操作されると、操作された前記数字キーに対応する前記報知対象の情報を前記表示部に表示させるように構成し得る。
【００１５】
本発明の携帯端末装置のプログラムは、受信された情報の受信履歴を当該情報の種別に対応付けて記憶する記憶部と、複数の数字キーと前記情報の種別に応じて割り当てられた種別キーとを含む入力キーと、前記入力キーをそれぞれ照明する照明部と、を備える携帯端末装置のコンピュータに、前記種別キーと、当該種別キーに対応する前記種別の情報の、前記受信履歴に基づく報知対象件数に対応する前記数字キーとを互いに関連して点灯させるように前記照明部を制御する機能を付与する。
【００１６】
本発明の携帯端末装置は、情報が該情報の種別に対応づけて順次記憶される記憶部と、複数の入力キーと、前記入力キーをそれぞれ照明する照明部と、前記照明部を制御する照明制御部と、を備える。ここで、前記複数の入力キーは、前記情報の種別に応じて割り当てられた種別キーと、複数の数字キーとを含み、前記照明制御部は、前記種別に対応づけて前記記憶部に記憶された情報のうち報知対象の情報の件数に対応する前記数字キーと、当該種別に割り当てられた前記種別キーとが互いに関連して点灯するように前記照明部を制御する。
【発明の効果】
【００１７】
本発明によれば、報知対象情報を入力キーによりユーザが容易に確認できる携帯端末装置を提供することができる。
【００１８】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１９】
【図１】実施の形態に係る携帯電話機の外観構成を示す図である。
【図２】実施の形態に係る携帯電話機の全体構成を示すブロック図である。
【図３】実施の形態に係る通信履歴データベースである。
【図４】実施の形態に係る通信に関するキーおよびダイヤルキーを点灯する方法を説明するための図である。
【図５】実施の形態に係る受信情報の未処理件数を報知し、未処理情報を確認する処理手順を示すフローチャートである。
【図６】実施の形態に係る受信情報の未処理件数を報知し、未処理情報を確認する処理手順を示すフローチャートである。
【発明を実施するための形態】
【００２０】
以下、本発明の実施の形態について、図面を参照して説明する。図１（ａ）は、第１キャビネット１０および第２キャビネット２０が並べられた、開いた姿勢の携帯電話機１の外観構成を示す。図１（ｂ）は、第１キャビネット１０および第２キャビネット２０が重ねられた、閉じた姿勢の携帯電話機１の外観構成を示す。
【００２１】
携帯電話機１は、第１キャビネット１０、第２キャビネット２０および、これらのキャビネット１０、２０を連結するヒンジ部３０を有する。
【００２２】
第１キャビネット１０の正面には、キー操作部１１およびマイクロホン１２が設けられている。キー操作部１１は、各入力キー１１ａ〜１１ｇに割り当てられた情報を入力するための入力部に相当し、複数の入力キー１１ａ〜１１ｇを有する。各入力キー１１ａ〜１１ｇは光透過性の材料により形成され、キー操作部１１の各入力キー１１ａ〜１１ｇの表面には、各入力キー１１ａ〜１１ｇに割り当てられた機能を表わす絵や文字などが付されている。キー操作部１１のキーとしては、カーソルキー１１ａ、センターキー１１ｂ、各種の機能モードへの切替えキー、電話キー１１ｅ、電源・終話キー１１ｆおよびダイヤルキー１１ｇが挙げられる。切替キーは、メールキー１１ｃおよびウェブページを閲覧するためのウェブキー１１ｄを含む。たとえば、電話キー１１ｅには受話器の絵が付され、電源・終話キー１１ｆには“ＰＷＲ”の文字が付され、ウェブキー１１ｄには“ＷＥＢ”の文字が付されている。また、ダイヤルキー１１ｇには０〜９の数字および“＊”、“＃”の記号が付され、メールキー１１ｃには封筒の絵が付されている。なお、情報の種別に応じて割り当てられた複数の種別キーとしては電話キー１１ｅおよびメールキー１１ｃがあり、電話キー１１ｅは電話に関連し、メールキー１１ｃはメールに関連する。また、ダイヤルキー１１ｇの中で、０〜９の数字が付されたキーが数字のキーに相当する。
【００２３】
キー操作部１１の背後には、キー操作部１１を照明するバックライト装置（以下、「キーバックライト」と言う。）１３が配されている。キーバックライト１３は、キー操作部１１のキーをそれぞれ照明する照明部に相当する。キーバックライト１３は、複数の光源を有し、光源にはＬＥＤが用いられる。各光源は各入力キー１１ａ〜１１ｇの裏側に配置され、光源から放たれた光は、各入力キー１１ａ〜１１ｇに向かって照射され、光の一部は光透過性のキーを通過し、照射されたキーは明るくなる。このため、光源が発光すると、入力キー１１ａ〜１１ｇが点灯する。一方、光源が消えると、入力キー１１ａ〜１１ｇが消灯する。
【００２４】
第２キャビネット２０の正面には、表示部２１の液晶パネル２１ａおよびスピーカ２２が配置されている。液晶パネル２１ａの正面には表示面２１ｂが設けられており、表示面２１ｂが外部に現れている。
【００２５】
液晶パネル２１ａの背後には、バックライト装置（以下、「パネルバックライト」と言う。）２１ｃが配されている。パネルバックライト２１ｃは、光源となるＬＥＤを備え、液晶パネル２１ａに光を供給する。
【００２６】
第１キャビネット１０には開閉センサ１４が配置され、第２キャビネット２０には磁石２３が配置される。磁石２３はマイクの周囲に配置され、図１（ｂ）に示す閉状態において、開閉センサ１４は磁石２３に近接する位置に配置される。開閉センサ１４にはホール素子などの磁気センサが用いられる。閉状態において磁石２３が開閉センサ１４の近傍に存在すると、開閉センサ１４は、磁石２３の磁界を検出し、検出信号をＣＰＵ１００に出力する。反対に、図１（ａ）に示す開状態において、磁石２３が開閉センサ１４から離れている場合、開閉センサ１４は、磁石２３の磁界を検出せず、検出信号をＣＰＵ１００に出力しない。
【００２７】
ヒンジ部３０は、一対の回転軸３１および一対の軸受部３２を含む。回転軸３１は、第２キャビネット２０の連結側端部から左右に延びる。軸受部３２は、第１キャビネット１０の連結側端部に形成され、回転軸３１を受ける。
【００２８】
このように、ヒンジ部３０は、第２キャビネット２０および第１キャビネット１０を回転可能に連結する。このため、携帯電話機１は開状態および閉状態を採る。
【００２９】
図１（ａ）に示す開状態では、第２キャビネット２０は、第１キャビネット１０に対して１８０度近くまで開く。表示面２１ｂおよびキー操作部１１は、外部に露出し、それぞれ横に並ぶ。
【００３０】
図１（ｂ）に示す閉状態では、第１キャビネット１０および第２キャビネット２０は折り畳まれる。液晶パネル２１ａの表示面２１ｂは、キー操作部１１が向かい合った状態となり、キー操作部１１により外部から隠される。
【００３１】
図２は、携帯電話機１の全体構成を示すブロック図である。
【００３２】
携帯電話機１は、上述した各構成要素の他、ＣＰＵ１００、メモリ１０１、通信モジュール１０２、キー入力回路１０３、音声エンコーダ１０４、光源駆動回路１０５、映像デコーダ１０６、音声デコーダ１０７およびクロック１０８を備える。
【００３３】
マイクロホン１２は、集音した音声を音声信号に変換して音声エンコーダ１０４へ出力する。音声エンコーダ１０４は、マイクロホン１２からのアナログの音声信号をデジタルの音声信号に変換するとともに、デジタルの音声信号にエンコード処理を施してＣＰＵ１００へ出力する。
【００３４】
キー入力回路１０３は、キー操作部１１の各入力キー１１ａ〜１１ｇが操作されたときに、各入力キー１１ａ〜１１ｇに応じたキー入力信号をＣＰＵ１００へ出力する。
【００３５】
光源駆動回路１０５は、ＣＰＵ１００からの制御信号に応じた電圧信号をパネルバックライト２１ｃおよびキーバックライト１３の光源のそれぞれに供給する。パネルバックライト２１ｃおよびキーバックライト１３の各光源は、光源駆動回路１０５からの電圧信号により発光したり消えたりする。
【００３６】
映像デコーダ１０６は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示面２１ｂ上に表示する。
【００３７】
音声デコーダ１０７は、ＣＰＵ１００からの音声信号、および着信音やアラーム音等の各種報知音の音信号にデコード処理を施し、さらにアナログの音声信号および音信号に変換してスピーカ２２に出力する。スピーカ２２は、音声デコーダ１０７からの音声信号や
音信号に基づいて音声や報知音などを再生する。
【００３８】
通信モジュール１０２は、送信部として、ＣＰＵ１００からの電話やメールなどの通信に関する情報を無線信号に変換し、アンテナ１０２ａから基地局へ送信する。これにより、通信に関する情報が基地局を介して通信対象の機器へ送信される。また、通信モジュール１０２は、受信部として、アンテナ１０２ａにより受信した無線信号を情報に変換してＣＰＵ１００へ出力する。これにより、通信に関する情報が通信対象の機器から基地局を介して受信される。
【００３９】
なお、電話に関する情報としては、呼出信号、呼出信号に付随する情報、応答信号、切断信号などが挙げられる。呼出信号に付随する情報としては、発信者の電話番号などである。メールに関する情報としては、通信対象の機器のメールアドレス、件名、本文、添付ファイルなどが挙げられる。
【００４０】
メモリ１０１は、ＲＯＭおよびＲＡＭを含む記憶部である。
【００４１】
メモリ１０１には、ＣＰＵ１００に制御機能を付与するための制御プログラムが記憶されている。かかる制御プログラムには、ユーザに報知すべき情報を報知し、ユーザが報知された情報を確認するための制御プログラムが含まれる。なお、報知すべき情報は、通信モジュール１０２により受信されたが、ユーザにより処理されていない内容を含む。
【００４２】
メモリ１０１には、データファイルが記憶されている。データファイルとしては、たとえば、通信モジュール１０２を介して外部から取り込んだ情報、ユーザ操作によりキー操作部１１を介して入力された情報などが挙げられる。
【００４３】
メモリ１０１には、受信情報の履歴を示す通信履歴データベースが記憶されている。通信履歴データベースは、通信モジュール１０２によって受信された情報の受信履歴を当該情報の種別に対応付けて記憶する。たとえば、通信履歴データベースは、通信の種別、受信内容、処理状況および未処理順位を含み、これらが対応付けられている。通信履歴データベースは通信の種別に応じたデータベースを有する。たとえば、電話に関する電話履歴データベースおよびメールに関するメール履歴データベースがある。
【００４４】
図３（ａ）に示す電話履歴データベースは通信の種別、受信内容、処理状況および未処理順位を含み、これらが対応付けられている。電話データベースでは、受信内容は、発信者の電話番号や受信日時を含む。処理状況においては、発信者の呼出により未処理と設定され、ユーザの操作により呼出に対して応答されたり、受信内容が表示されたら、未処理の設定が解除される。未処理順位は、受信した順に未処理の情報に付けられる。このため、未処理の情報の中で受信日時が最も古い情報が未処理順位：１位となる。
【００４５】
図３（ｂ）に示すメールデータベースは、通信の種別、受信内容、処理状況および未処理順位を含み、これらが対応付けられている。メールデータベースでは、受信内容は、発信者のメールアドレス、受信日時、メールの保存場所を含む。処理状況においては、メールの情報の受信により未処理と設定され、この情報がユーザの操作により表示面２１ｂに表示されたら、未処理の設定が解除される。未処理順位は、電話データベースの場合と同様である。
【００４６】
ＣＰＵ１００は、キー入力回路１０３からの操作データ信号に基づき、制御プログラムに従って、マイクロホン１２、通信モジュール１０２、液晶パネル２１ａ、パネルバックライト２１ｃおよびスピーカ２２などを動作させる。これにより、通話機能およびメール機能などの各種アプリケーションが実行される。
【００４７】
ＣＰＵ１００は、未処理の情報に関する内容の報知および確認するためのモード（以下、「確認モード」と言う。）を設定および解除する。たとえば、ＣＰＵ１００は、キー入力回路１０３からのデータ信号およびクロック１０８からの信号を監視する。データ信号の入力がなくなってから経過した時間が所定時間を超えると、ＣＰＵ１００は、ユーザによる操作がされていないとして、確認モードを設定する。また、確認モードが設定されている間に、所定のキーが操作されると、ＣＰＵ１００は、ユーザにより他の操作が開始されるとして、確認モードを解除する。なお、所定のキーは、予め設定されているキーであってもよいし、ユーザが任意に設定したキーでもよい。
【００４８】
ＣＰＵ１００は、通信モジュール１０２が受信した情報などをメモリ１０１の通信履歴データベースに記憶する。電話の呼出信号が着信した場合、ＣＰＵ１００は、通信の種別を電話と判断し、呼出信号に付随する情報から発信者の電話番号を抽出して電話履歴データベースに記憶する。このとき、ＣＰＵ１００はクロック１０８からの信号により受信日時を特定し、受信日時を電話番号に対応させて電話履歴データベースに記憶する。
【００４９】
また、メールの情報が着信した場合、ＣＰＵ１００は、通信の種別をメールと判断し、メールの情報から発信者のメールアドレスおよび受信日時を抽出してメール履歴データベースに記憶する。さらに、ＣＰＵ１００は、メールの情報をメモリ１０１に保存するとともに、保存場所を発信者のメールアドレスに対応させてメール履歴データベースに記憶する。
【００５０】
ＣＰＵ１００は、通信モジュール１０２が受信した情報に対する処理状況および未処理件数を判断する。
【００５１】
たとえば、電話の呼出信号を通信モジュール１０２が受信している間、ＣＰＵ１００は、キー入力回路１０３からのキー入力信号の有無および種類を監視する。キー入力信号が無い、または入力されたキー入力信号が電話キー１１ｅに対応したものでなければ、電話の呼び出しに対してユーザが応答していない。この場合、ＣＰＵ１００は、電話の呼出信号に対して未処理であると判断し、電話履歴データベースにおいて、その電話の電話番号に対応付けられた処理状況を未処理と設定する。このとき、電話履歴データベースにおいて、受信日時の古い未処理の情報から未処理順位が付けられる。また、未処理順位の最も大きな数字が未処理件数として設定される。
【００５２】
また、メールの情報を通信モジュール１０２が受信した後、ＣＰＵ１００は、キー入力回路１０３からのキー入力信号の有無および種類を監視する。キー入力信号が無い、または入力されたキー入力信号がメールキー１１ｃに対応したものでなければ、メールの情報をユーザが見ていない。この場合、ＣＰＵ１００は、メールの情報に対して未処理であると判断して、メール履歴データベースにおいて、そのメールのメールアドレスに対応づけられた処理状況を未処理と設定する。このとき、メール履歴データベースにおいて受信日時の古い未処理の情報から未処理順位が付けられる。また、未処理順位の最も大きな数字が未処理件数として設定される。
【００５３】
ＣＰＵ１００は、照明制御部として、光源駆動回路１０５を通じてキーバックライト２１ｃの個々の光源を制御する。これにより、電話キー１１ｅおよびメールキー１１ｃと、電話およびメールの情報の報知対象件数に対応するダイヤルキー１１ｇとが互いに関連して点灯する。なお、報知対象件数は、ユーザに報知すべき情報の件数であって、たとえば、未処理件数に相当する。
【００５４】
たとえば、ＣＰＵ１００は、電話履歴データベースから未処理件数を読み出し、図４（
ａ）に示すように、未処理件数を示す数字のキーと電話キー１１ｅとを点灯させる。また、ＣＰＵ１００は、メール履歴データベースから未処理件数を読み出し、図４（ｂ）に示すように、未処理件数を示す数字のキーとメールキー１１ｃとを点灯させる。このとき、電話キー１１ｅおよび電話の未処理件数を示すダイヤルキー１１ｇと、メールキー１１ｃおよびメールの未処理件数を示すダイヤルキー１１ｇとが交互に点灯する。ことにより、電話の未処理件数とメールの未処理件数が区別され得る。
【００５５】
ＣＰＵ１００は、検知部として、キー入力回路１０３からのキー入力信号を受ける。ＣＰＵ１００は、キー入力信号により、キー操作部１１において操作されたキーを判断し、操作の内容を特定する。
【００５６】
たとえば、点灯している電話キー１１ｅが操作されると、キー入力回路１０３からのキー入力信号に基づき、ＣＰＵ１００は、電話に関する全ての未処理情報を表示する操作がなされたと特定する。また、電話キー１１ｅと共に点灯されているダイヤルキー１１ｇが操作されると、キー入力回路１０３からのキー入力信号に基づき、ＣＰＵ１００は、ダイヤルキー１１ｇの数字に対応する個別の未処理情報を表示する操作がなされたと特定する。この場合、ダイヤルキー１１ｇの数字と未処理順位が対応付けられている。なお、メールキー１１ｃについても、電話キー１１ｅの場合と同様である。
【００５７】
ＣＰＵ１００は、表示制御部として、映像デコーダ１０６および光源駆動回路１０５へ制御信号を出力する。これにより、ＣＰＵ１００は、液晶パネル２１ａおよびパネルバックライト２１ｃを制御して、情報を画像として表示面２１ｂに表示させる。
【００５８】
たとえば、電話に関する全ての未処理情報を表示する操作がなされた場合、ＣＰＵ１００は、電話履歴データベースに基づき、電話に関する全ての未処理の受信内容を表示面２１ｂに表示する。この場合、未処理の受信情報についてその発信者の電話番号および受信日時が、未処理の順位に応じてリスト化されて、表示面２１ｂに表示される。
【００５９】
また、ダイヤルキー１１ｇに対応する個別の電話の未処理情報を表示する操作がなされた場合、ＣＰＵ１００は、電話データベースに基づき、ダイヤルキー１１ｇの数字に対応する未処理の受信内容を表示面２１ｂに表示する。ダイヤルキー１１ｇ“１”に対し未処理順位“１”の発信者の電話番号および受信日時が表示面２１ｂに表示される。
【００６０】
メールに関する全ての未処理情報を表示する操作がなされた場合、ＣＰＵ１００は、メール履歴データベースに基づき、メールに関する全ての未処理の受信内容を表示面２１ｂに表示する。この場合、未処理の受信情報についてその発信者のメールアドレスおよび受信日時が、未処理の順位に応じてリスト化されて、表示面２１ｂに表示される。
【００６１】
また、ダイヤルキー１１ｇの数字に対応する個別のメールの未処理情報を表示する操作がなされた場合、ＣＰＵ１００は、メール履歴データベースに基づき、ダイヤルキー１１ｇの数字に対応する未処理の受信内容を表示面２１ｂに表示する。ダイヤルキー１１ｇ“３”に対し未処理順位“３”の保存場所が特定され、保存場所に保存されたメールの情報が表示面２１ｂに表示される。
【００６２】
＜第１の実施形態の処理手順＞
図５および図６は、未処理の受信情報を報知および確認する確認モードにおける処理手順を示すフローチャートである。
【００６３】
確認モードが解除されている状態で、所定時間の間に亘ってキー操作がなされていないと（Ｓ１０１:ＹＥＳ、Ｓ１０２:ＹＥＳ）、確認モードが設定される（Ｓ１０３）。これ
により、確認モードの処理がＣＰＵ１００によって実行される。
【００６４】
確認モードにおいて、通信モジュール１０２が情報を受信すると（Ｓ１０４:ＹＥＳ）
、通信の種別および受信内容が、受信情報から特定され、電話履歴データベースまたはメール履歴データバースに記憶される（Ｓ１０５）。このとき、受信情報の処理状況が未処理と記憶され、未処理件数に“１”を加算した数が未処理順位と設定される。
【００６５】
携帯電話機１が閉状態であれば（Ｓ１０６:ＮＯ）、キー操作部１１が外部から見えな
いため、所定の受信の報知手段により受信が報知される（Ｓ１０７）。所定の受信の報知手段としては、スピーカ２２からの着信音の発生、パネルバックライト２１ｃの点灯、着信ランプがあれば、着信ランプの点灯、振動部があれば、振動部による振動の発生が挙げられる。
【００６６】
一方、携帯電話機１が開状態であれば（Ｓ１０６:ＹＥＳ）、表示面２１ｂが外部から
見えるため、パネルバックライト２１ｃが点灯する（Ｓ１０８）。また、開状態では、キー操作部１１も外部から見えるため、通信の種別に応じたキー（電話キー１１ｅまたはメールキー１１ｃ）および未処理件数に応じた数字を示すダイヤルキー１１ｇが点灯する。なお、受信の際には、パネルバックライト２１ｃおよびキーバックライト１１ｇの点灯とともに、着信音や振動が発生されても良い。
【００６７】
受信中である場合（１０９Ｓ:ＮＯ）、未処理件数に応じた数字を示すダイヤルキー１
１ｇの全てが点灯せずに、受信中の情報の未処理順位に応じた数字を示すダイヤルキー１１ｇだけが点灯する（Ｓ１１０）。たとえば、未処理件数が３件である場合、受信中の情報の未処理順位は３番目であるため、ダイヤルキー１１ｇ“３”が点灯する。
【００６８】
着信が電話の場合、呼出信号の受信中に、点灯する電話キー１１ｅまたはダイヤルキー１１ｇが押されると（Ｓ１１１：ＹＥＳ）、応答信号が通信モジュール１０２から送信され、通話が開始される（Ｓ１１２）。
【００６９】
終話キー１１ｆが押されると（Ｓ１１３:ＹＥＳ）、切断信号が通信モジュール１０２
から送信され、通話が終了する（Ｓ１１４）。これにより、電話の呼出信号に対して処理がなされたことから、電話履歴データベースにおいて、処理内容における未処理の設定および未処理順位が消される（Ｓ１１５）。
【００７０】
一方、呼出信号の受信中に、点灯する電話キー１１ｅまたはダイヤルキー１１ｇが押されないまま（Ｓ１１１：ＮＯ）、呼出信号が停止し、受信が終了すれば（Ｓ１０９：ＹＥＳ）、電話履歴データベースにおいて、処理内容における未処理の設定および未処理順位が消されない。
【００７１】
着信がメールの場合も、受信が終了すると、（Ｓ１０９：ＹＥＳ）、メール履歴データベースにおいて、処理内容における未処理の設定および未処理順位が消されることなく残る。
【００７２】
受信が終了すると、通信の種別に応じた未処理件数の報知が行われる。たとえば、電話の場合、未処理件数は２件であれば、図４（ａ）に示すように、電話キー１１ｅおよび未処理件数に応じた数字を示すダイヤルキー１１ｇ“１”および“２”を点灯する（Ｓ１１６）。このように、電話キー１１ｅおよびダイヤルキー１１ｇが点灯することで、電話の残りの未処理件数が報知される。
【００７３】
また、電話の未処理件数以外にメールの情報の未処理件数がある場合、電話キー１１ｅ
の点灯と交互にメールキー１１ｃが点灯する。このとき、メール履歴データベースから未処理件数が読み出され、メールキー１１ｃの点灯する間、未処理件数に応じた数字を示すダイヤルキー１１ｇが点灯される。未処理件数が４件であれば、図４（ｂ）に示すように、１〜４の数字を示すダイヤルキー１１ｇが個別に点灯される。これにより、メールの未処理件数が４件であることが報知される。なお、電話キー１１ｅが点灯する間は、電話の未処理件数に応じた数字を示すダイヤルキー１１ｇが点灯される。
【００７４】
表示面２１ｂおよびキーが点灯している状態で、点灯しているキーに対する操作が監視される。点灯しているキーに対して操作がなく（Ｓ１１７:ＹＥＳ）、３０秒などの所定
時間が経過すると（Ｓ１１８:ＹＥＳ）、表示面２１ｂが消灯する（Ｓ１１９）。
【００７５】
さらに、表示面２１ｂが消え、キーが点灯した状態で、点灯しているキーに対する操作がなく（Ｓ１２０:ＹＥＳ）、１時間などの所定時間が経過すると（Ｓ１２１:ＹＥＳ）、入力キー１１ａ〜１１ｇも消灯する（Ｓ１２２）。
【００７６】
このように、携帯電話機１が操作されない状態では入力キー１１ａ〜１１ｇおよび表示面２１ｂが消灯して、省エネモードに入り、エネルギーの消費低減が図られる。
【００７７】
省エネモードにおいて、何からのキーが操作されると（Ｓ１２３:ＹＥＳ）、操作され
たキーが終話キー１１ｆか否かが判断される（Ｓ１２４）。終話キー１１ｆが操作されたら、確認モードが解除される（Ｓ１２５）。これにより、操作メニューなどの操作に関わる画面が表示面２１ｂに表示され、受信情報の表示以外の操作が可能になる。
【００７８】
一方、キーが点灯している状態または省エネモードにおいて、終話キー１１ｆ以外のキーが操作されると（Ｓ１１７:ＮＯ、Ｓ１２０:ＮＯ、Ｓ１２３:ＹＥＳ、Ｓ１２４：ＹＥ
Ｓ）、操作されたキーが点灯しているダイヤルキー１１ｇか否かが判断される。ダイヤルキー１１ｇでなく、電話キー１１ｅまたはメールキー１１ｃであれば（Ｓ１２６:ＹＥＳ
）、全件の未処理情報が表示される（Ｓ１２７）。電話キー１１ｅであれば、未処理の電話番号および受信日時が一覧で表示される。メールキー１１ｃであれば、未処理のメールアドレス、受信日時が一覧で表示される。
【００７９】
また、ダイヤルキー１１ｇが操作されると（Ｓ１２６:ＹＥＳ）、ダイヤルキー１１ｇ
の数字に対応する未処理順位の情報が表示される（Ｓ１２８）。電話キー１１ｅと同時に点灯したダイヤルキー１１ｇ“２”が操作された場合、未処理順位“２”の電話番号および受信日時が表示される。また、メールキー１１ｃと同時に点灯したダイヤルキー１１ｇ“３”が操作された場合、未処理順位“３”のメールアドレス、受信日時、件名および本文が表示される。
【００８０】
このように、未処理情報が表示されたことにより、受信情報について処理がなされた。このため、通信履歴データベースにおいて、処理された情報について未処理の処理状況および未処理順位が消去されるとともに、未処理順位に応じた数字のダイヤルキー１１ｇが消灯される（Ｓ１２８）。
【００８１】
ユーザが、表示された情報から電話番号を選択して、電話キー１１ｅを操作すると（Ｓ１２９:ＹＥＳ、Ｓ１３０：ＹＥＳ）、選択された電話番号に対し発信される（Ｓ１３１
）。通話が終了すると（Ｓ１３２:ＹＥＳ）、ＣＰＵ１００は、Ｓ１２９に戻り、再びキ
ー操作を監視する。
【００８２】
また、ユーザが、表示された情報からメールアドレスを選択して、返信キーを操作すると（Ｓ１２９:ＹＥＳ、Ｓ１３０：ＹＥＳ）、選択されたメールアドレスに対する返信メ
ールが開き、文字入力が返信メールに可能になる（Ｓ１３１）。返信メールが送信されると（Ｓ１３２:ＹＥＳ）、ＣＰＵ１００は、Ｓ１２９に戻り、再びキー操作を監視する。
【００８３】
以上、本実施の形態によれば、電話キー１１ｅと共に電話の未処理件数に応じたダイヤルキー１１ｇが点灯し、メールキー１１ｃと共にメールの未処理件数に応じたダイヤルキー１１ｇが点灯する。これにより、ユーザは、受信情報を表示面２１ｂに表示しなくても、電話の呼出に応答しなかった件数および表示していないメールの件数を容易に把握できる。
【００８４】
また、本実施の形態によれば、点灯している電話キー１１ｅまたはメールキー１１ｃが操作されると未処理情報の全件が表示され、点灯しているダイヤルキー１１ｇが操作されるとダイヤルキー１１ｇの数字に応じた未処理情報が個別に表示される。このため、ユーザの要望に応じた情報が適切に表示される。
【００８５】
＜その他の実施形態＞
以上、本発明の実施の形態について説明したが、本発明は、上記実施の形態によって何ら制限されるものではなく、また、本発明の実施の形態も、上記以外に種々の変更が可能である。
【００８６】
上記実施形態では、電話およびメールの未処理情報がある場合、電話キー１１ｅとメールキー１１ｃとが所定の時間間隔で交互に点灯した。この点灯する時間間隔をユーザが任意に設定することができる。
【００８７】
また、上記実施形態では、電話キー１１ｅとメールキー１１ｃとが交互に点灯した。これに対して、ユーザが操作した入力キー１１ａ〜１１ｇに応じて、電話キー１１ｅまたはメールキー１１ｃが点灯するように構成されてもよい。たとえば、確認モードにおいて、カーソルキー１１ａの左側が押されると、メールキー１１ｃと、メールの未処理件数を表わすダイヤルキー１１ｇとが点灯する。また、カーソルキー１１ａの下側が押されると、電話キー１１ｅと、電話の未処理件数を表わすダイヤルキー１１ｇとが点灯する。
【００８８】
上記実施形態では、電話キー１１ｅ、メールキー１１ｃおよびダイヤルキー１１ｇの点灯タイミングを調整することにより、これらのキーの関連付けが表わされた。これに対して、複数色の光を発する光源がキーバックライト１３に用いられ、点灯する色が調整されることで、点灯するキーの関連付けを表わすこともできる。この場合、電話キー１１ｅとメールキー１１ｃとが異なる色に点灯される。そして、メールキー１１ｃおよびダイヤルキー１１ｇの点灯する色が合わせられ、電話キー１１ｅおよびダイヤルキー１１ｇの点灯する色が合わせられる。なお、件数報知に必要なキー以外のキーも点灯させることができる。この場合、件数報知に必要なキーと、これ以外のキーとが異なる色で発光される。
【００８９】
また、キーバックライト１３の発光する色を調整するのではなく、発光する輝度を調整することにより、件数報知に必要なキーと、これ以外のキーとを区別することもできる。
【００９０】
さらに、キーバックライト１３の発光する色および輝度を調整することもできる。
【００９１】
また、電話キー１１ｅおよびメールキー１１ｃと、ダイヤルキー１１ｇとが点灯する色、輝度およびタイミングを変えることができる。
【００９２】
さらに、上記実施形態では、電話の未処理情報を報知する際に電話キーが点灯されたが、電話キーに代えて終話キーなど電話に関するキーが点灯されてもよい。
【００９３】
また、上記実施形態では、通信による情報が受信された際に、パネルバックライト２１ｃおよびキーバックライト１３が点灯されたが、パネルバックライト２１ｃが点灯されず、キーバックライト１３のみが点灯されてもよい。このように、パネルバックライト２１ｃが点灯されないことで、電力の消費が低減される。
【００９４】
さらに、上記実施形態では、未処理の受信内容として、電話番号およびメールアドレスが表示された。これに対して、電話番号またはメールアドレスと発信者の氏名とを対応付けた情報がメモリ１０１に記憶されている場合、電話番号およびメールアドレスと共に、またはこれらの情報に代えて発信者の氏名を表示することもできる。
【００９５】
また、上記実施形態では、未処理情報の全てに対して、電話キー１１ｅ、メールキー１１ｃおよびダイヤルキー１１ｇが同様の態様で点灯した。これに対し、特別な態様で報知すべき発信者の電話番号またはメールアドレスをユーザがメモリ１０１に登録することもできる。この場合、登録された電話番号またはメールアドレスに対する受信情報が未処理であれば、それに対応するダイヤルキー１１ｇが他と異なる色や輝度で点灯する。このダイヤルキー１１ｇの点灯により、ユーザは、登録した発信者からの受信を容易に知り、受信情報に簡単にアクセスできる。
【００９６】
さらに、上記実施形態では、未処理情報の全てに対して、電話キー１１ｅ、メールキー１１ｃおよびダイヤルキー１１ｇが点灯した。これに対し、報知不要な発信者の電話番号またはメールアドレスをユーザがメモリ１０１に登録することもできる。この場合、登録された電話番号またはメールアドレスに対する受信情報が、未処理であっても、報知されない。このため、迷惑メールなどユーザにとって不要な受信情報に対してユーザが対応する必要がなくなる。
【００９７】
また、上記実施形態では、携帯電話機１が開いた状態で、電話やメールの情報が受信されると、未処理件数に応じたダイヤルキー１１ｇが点灯した。これに対して、情報の受信に応じて、ダイヤルキー１１ｇの全てが点灯してから所定時間の経過後に、未処理件数に応じたダイヤルキー１１ｇが点灯するように構成され得る。
【００９８】
上記実施形態では、電話履歴データベースおよびメール履歴データベースに未処理件数が記憶され、この未処理順位に基づいて未処理件数が求められた。これに対して、電話履歴データベースおよびメール履歴データベースに未処理件数が記憶されていなくてもよい。この場合、ＣＰＵは、電話履歴データベースおよびメール履歴データベースに記憶されている未処理の情報の件数を求めて、求めた件数を未処理件数として設定する。
【００９９】
また、上記実施形態では、電話履歴データベースおよびメール履歴データベースに基づき電話およびメールの未処理件数が報知された。しかしながら、受信された情報に限らず、スケジュール情報等、携帯電話機を操作して入力された情報について報知が行われても良い。たとえば、メモリ１０１のスケジュールデータベースに基づき、予定の件数が報知されても良い。この場合、スケジュールデータベースには、予定と日付とが対応付けて記憶されている。また、スケジュールを表わす種別キーが、ダイヤルキー１１ｇ以外のキーの中から予め設定されるか、ユーザにより任意に設定される。これにより、スケジュールデータベースにおいて、確認モードが設定された日と同じ日付に予定が記憶されていれば、スケジュールを表わす種別キーと、予定の件数に対応するダイヤルキー１１ｇとが関連して点灯される。そして、点灯しているキーがユーザにより押されると、キーに対応する情報（たとえば、日時とスケジュール内容）がスケジュールデータベースに基づいて表示される。
【０１００】
なお、スケジュール情報が報知されるタイミングは、予め設定されて得る、またはユー
ザにより任意に設定され得る。たとえば、日付が変わる午前０時、予定が開始する時刻、予定が開始する時刻の２時間前などが報知タイミングとして設定され得る。
【０１０１】
また、上記実施形態では、折り畳み式の携帯電話機１を用いたが、スライド式やストレート型などの携帯電話機１を用いることもできる。折り畳み式では開状態のときに未処理情報に対応するキーバックライト１３が点灯された。これに対して、スライド式では、キー操作部１１が外部に現れる状態にあるときに未処理情報に対応するキーバックライト１３が点灯される。
【０１０２】
さらに、携帯電話機１に代えて通信機能を有するＰＤＡなどの携帯端末装置を用いることもできる。
【０１０３】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１０４】
１  携帯電話機
１１  キー操作部
１１ｃ  メールキー
１１ｅ  電話キー
１１ｇ  ダイヤルキー
１３  キーバックライト
２１  表示部
１００  ＣＰＵ
１０１  メモリ
１０２  通信モジュール
【図１】
2012138683.tif 000003
【図２】
2012138683.tif 000004
【図３】
2012138683.tif 000005
【図４】
2012138683.tif 000006
【図５】
2012138683.tif 000007
【図６】
2012138683.tif 000008